(57)【要約】【課題】小型であり、かつ強固な取付構造を実現するストラップ取付部を備える電子機器を提供すること。【解決手段】ストラップ取付部材を備える電子機器であって、樹脂製のストラップ取付部材と、本体内部の前面側を覆う金属製のフロントシャーシ部材と本体内部の背面側を覆う金属製のリアシャーシ部材を有し、前記ストラップ取付部には、ストラップ取付部から延びる延出形状があり、延出形状を挟むように、フロントシャーシ部材の腕部とリアシャーシ部材の腕部があり、延出形状を略中心として、対向する位置に、フロントシャーシ部材の腕部とリアシャーシ部材の腕部にビス締結をする。【選択図】図７
2015022003.tif 000002
【特許請求の範囲】
【請求項１】
ストラップ取付部材（１５）を備える電子機器であって、
樹脂製のストラップ取付部材（１５）と、
本体内部の前面側を覆う金属製のフロントシャーシ部材（１９）と
本体内部の背面側を覆う金属製のリアシャーシ部材（２０）を有し、
前記ストラップ取付部材（１５）には、ストラップ取付部から伸びる延出部（１５ｅ）があり、
延出部（１５ｅ）を挟むように、フロントシャーシ部材（１９）の腕部（１９ａ）とリアシャーシ部材（２０）の腕部（２０ａ）があり、フロントシャーシ部材（１９）の腕部（１９ａ）とリアシャーシ部材（２０）の腕部（２０ａ）を複数のビスで締結をし、複数のビスの締結位置は、延出部（１５ｅ）を中心として並んで配置されたことを特徴とする電子機器。
【請求項２】
前記ストラップ取付部材（１５）から延びる延出部（１５ｅ）には、本体内部に延びる突起形状（１５ｆ）があり、前記突起形状（１５ｆ）は、フロントシャーシ部材（１９）の腕部（１９ａ）の穴部（１９ｇ）、もしくは、リアシャーシ部材（２０）の腕部（２０ａ）の穴部の少なくともどちらか一方に挿通されることを特徴する請求項１に記載の電子機器。
【発明の詳細な説明】
【技術分野】
【０００１】
本発明は、電子機器に関し、特にストラップ取り付け部材を備える電子機器に関するものである。
【背景技術】
【０００２】
デジタルカメラや携帯電話などの電子機器は、ストラップの取り付け部を備えており、ストラップを取り付け部に取り付けることができる（特許文献１参照）。
【先行技術文献】
【特許文献】
【０００３】
【特許文献１】特開２０１１−２０９５５９号公報
【発明の概要】
【発明が解決しようとする課題】
【０００４】
上記先行技術文献に開示される電子機器のストラップ取付部は、ベース部材に対して固定される本体部材があり、本体部材の固定箇所は、ストラップ取付部を間に挟んだ両側の位置に形成される。
【０００５】
このような構成では、ストラップ取付部を間に挟んだ位置にビス固定部を設けることが必須であるため、ビス固定部を所望の位置に配置できなかった場合の強度不足が懸念される。
【０００６】
本発明は、このような点に鑑み、ストラップ取付部を間に挟んだ位置にビス固定部を設けなくても、強度を確保できるストラップ取付部を提供する事を目的とする。
【課題を解決するための手段】
【０００７】
上記目的を達成するための構成は、
ストラップ取付部材（１５）を備える電子機器であって、
樹脂製のストラップ取付部材（１５）と、
本体内部の前面側を覆う金属製のフロントシャーシ部材（１９）と
本体内部の背面側を覆う金属製のリアシャーシ部材（２０）を有し、
前記ストラップ取付部材（１５）には、ストラップ取付部から伸びる延出部（１５ｅ）があり、
延出部（１５ｅ）を挟むように、フロントシャーシ部材（１９）の腕部（１９ａ）とリアシャーシ部材（２０）の腕部（２０ａ）があり、フロントシャーシ部材（１９）の腕部（１９ａ）とリアシャーシ部材（２０）の腕部（２０ａ）を複数のビスで締結をし、複数のビスの締結位置は、延出部（１５ｅ）を略中心として並んで配置されたことを特徴とする。
【発明の効果】
【０００８】
本発明によって、ストラップ取付部を間に挟んだ位置にビス固定部を設けなくても、強度を確保できる樹脂製のストラップ取付部を提供することができる。
【図面の簡単な説明】
【０００９】
【図１】本発明の実施形態であるデジタルカメラの斜視図
【図２】デジタルカメラの分解斜視図
【図３】ストラップ取付部の詳細の図
【図４】フロントシャーシの詳細の図
【図５】リアシャーシの詳細の図
【図６】ストラップ取付部、フロントシャーシ、リアシャーシの関係図
【図７】ストラップ取付部の断面図
【発明を実施するための形態】
【００１０】
以下、本発明の実施形態について図面を参照して詳細に説明する。
【００１１】
＜第１の実施形態＞
図１（ａ）は、本発明の実施形態であるデジタルカメラ１の斜視図であり、図１（ｂ）は、デジタルカメラ１の背面斜視図である。デジタルカメラ１の背面には、ＬＣＤ表示部２が配置されている。ＬＣＤ表示部２の右側には、操作ボタン３が配置されている。操作ボタン３を操作することにより撮影画像をＬＣＤ表示部２に表示したり、様々な設定を行ったりすることができる。
【００１２】
デジタルカメラ１の上面部には、撮影時にシャッターを切る為のシャッターボタン４、ズーム操作が可能なズームレバー５、電源ＯＮ／ＯＦＦ操作をする為の電源ボタン６、撮影モードを切り替えるモードダイヤル７、露出の変更操作を行う露出補正ダイヤル８などが配置されている。
上面部を形成するカバーは、トップカバー９である。
【００１３】
端子カバー１０は、外部接続端子をカバーする部材である。外部接続端子にケーブルを接続する際には、端子カバー１０を開いて、外部接続端子を露出させる。
【００１４】
フロントカバー１１は、デジタルカメラ１を前面を覆う外装部材である。リアカバー１２は、デジタルカメラ１を背面を覆う外装部材である。レンズ鏡筒ユニット１３は、デジタルカメラ１が撮影可能状態となるときに、前方に繰り出して被写体像を撮像素子に結像させる。ストロボユニット１４は、ポップアップ式のストロボであり、閃光発光させたいときは、ストロボをポップアップさせ閃光発光することで被写体を照明する。
【００１５】
ストラップ取付部材は、デジタルカメラ１の左右２箇所に配置されている。デジタルカメラ１の正面から見て、右側にストラップ取付部１５、左側にストラップ取付部１６がある。ストラップを左右のストラップ取付部１５、１６に取り付けることにより、ユーザーは、カメラを首から下げることができる。
【００１６】
本発明におけるストラップ取付部１５の構造を説明する。
【００１７】
図２は、図１の分解斜視図である。
【００１８】
図２は、トップカバー９のユニット、フロントカバー１１のユニット、リアカバー１２のユニットをデジタルカメラ１から分解した図である。
【００１９】
ストラップ取付部１５は、樹脂製の部材であり、２箇所のビス締結部がある。一つ目のビス締結部は、ストラップ取付部１５の上部であり、ビス１７により、ストロボユニット１４に締結されている。二つ目のビス締結部は、デジタルカメラ１の正面において、ビス１８により、金属製のフロントシャーシ１９に締結される。ストラップ取付部１５の下部は、詳細は後述するが、ストラップ取付部１５の一端がフロントシャーシ１９と金属製のリアシャーシ２０に挟まれて抜けない構造となっている。
【００２０】
図３において、ストラップ取付部１５の詳細の説明をする。
【００２１】
図３（ａ）は、外観側から見た図であり、図３（ｂ）は、本体内部側から見た図である。図３より、ストラップ取付部１５は、２面にまたがるように略Ｌ字形状となっており、デジタルカメラ１の本体正面から見て右側面の面と、本体正面側の面を有している。
【００２２】
１５ａは、前述したビス１７で締結するための穴であり、１５ｂは、前述したビス１８で締結するための穴である。
【００２３】
二か所の１５ｃは、位置決め部の穴形状であり、フロントシャーシ１９からの突起形状１９ｊ（図４）に対向する位置にあって、突起形状１９ｊをおさめることにより、ストラップ取付部１５は、フロントシャーシ１９に位置決めされる。１５ｄは、ストラップ取付部１５にストラップを取り付けた際のストラップをひっかける吊環部である。１５ｅは、ストラップ取付部１５の吊環部１５ｄに直行する方向かつストラップ取付部１５の下部方向に延びる延出形状である。１５ｆは、延出形状１５ｅからデジタルカメラ１の本体内部側に突出する突起形状部である。突起形状１５ｆの高さは、後述するフロントシャーシ１９の穴部１９ｇの深さよりも高い（フロントシャーシの板厚の厚さ分より高い。）。
【００２４】
図４は、フロントシャーシ１９の詳細図である。
【００２５】
図５は、リアシャーシ２０の詳細図である。
【００２６】
図６は、ストラップ取付部１５、フロントシャーシ１９、リアシャーシ２０の関係図である。
【００２７】
図７は、図１ａの断面線で切断した時の断面図であり、ストラップ取付部１５が本体に取り付けた時の詳細図である。
【００２８】
図４より、フロントシャーシ１９には、腕部１９ａがあり、腕部１９ａは、デジタルカメラ１の側面方向から背面方向にかけて、延びており、本体部の中身を囲うような形状である。その腕部１９ａの側面方向に延びている部分は、三箇所の高さの異なる面を有しており、それぞれ、腕部１９ｂ、１９ｃ、１９ｄとなっている。それぞれの面の高さは、デジタルカメラ１の側面方向に近い順から１９ｂ、１９ｄ、１９ｃ（図７参照）となっており、面１９ｄが一番段差が大きい形状である。
【００２９】
面１９ｃは、ストラップ取付部１５の延出形状１５ｅが収まるような形状となっている。また、腕部１９ｂ、１９ｄには、それぞれビス締結部１９ｅ、１９ｆを有している。二か所のビス締結部１９ｅ、１９ｆに挟まれるように穴１９ｇがある。この穴１９ｇは、ストラップ取付部１５の突起形状１５ｆを挿通することができる。
【００３０】
また、背面方向にある腕部１９ｈには、ビス締結部１９ｉがあり、不図示の無線通信用の基板を締結することで、無線通信用の基板のグランドをとることが可能である。
【００３１】
図５より、リアシャーシ２０は、腕部２０ａを有しており、デジタルカメラ１の側面方向に延びる形状である。腕部２０ａは、二つの面の高さの腕部２０ｂ、２０ｃがあり、２０ｃの方が、デジタルカメラ１の側面方向に近い面となっている。腕部２０ｂ、２０ｃには、ビスを挿通して固定するための穴、２０ｄと２０ｅを有している。
【００３２】
図６において、ストラップ取付部１５がフロントシャーシ１９、リアシャーシ２０に組みつけられた状態が分かる。
【００３３】
図７において、ストラップ取付部１５が本体に取り付けられた時の状態の説明をする。
【００３４】
ストラップ取付部１５、フロントシャーシ１９、リアシャーシ２０の組み立て順序を説明する。  初めに、ストラップ取付部１５の位置決め穴部１５ｃをフロントシャーシの位置決め部突起部１９ｊに合わせて、ストラップ取付部１５の位置決めを行う。ストラップ取付部１５の位置決めを行うと同時にストラップ取付部１５の突起形状１５ｆをフロントシャーシ１９の穴部１９ｇに挿通し、延出形状１５ｅが腕部１９ｃに収まるようにする。ストラップ取付部１５がフロントシャーシ１９に取り付けられた状態において、リアシャーシ２０をデジタルカメラ１の背面から前面（図７の右から左方向）に移動させ、腕部２０ａのビス穴部２０ｄと２０ｅをフロントシャーシ１９のビス締結部１９ｆ、１９ｅを合わせる。ストラップ取付部１５、フロントシャーシ１９、リアシャーシ２０が組み立てられた状態において、ビス２１、ビス２２にて締結する。ビス２１は、フロントシャーシ１９、リアシャーシ２０のみで締結するが、ビス２２は、フロントシャーシ１９、リアシャーシ２０に加わえて、フロントカバー１１、リアカバー１２も合わせて締結する外観のビスである。この構成とすることで、ストラップ取付部１５の延出形状１５ｅは、ビス２１、ビス２２に挟まれるようにビス締結され、かつ、フロントシャーシ１９の腕部１９ａ、リアシャーシ２０の腕部２０ａに挟まれることにより、固定が可能となる。
【００３５】
ストラップ取付部１５の突起形状１５ｆがフロントシャーシ１９の穴部１９ｇ挿通されているため、ストラップ取付部１５の延出形状１５ｅが、フロントシャーシ１９の腕部１９ａとリアシャーシ２０の腕部２０ａに挟まれている状態から抜けることが無くなる。
【００３６】
組み立て順において、フロントシャーシ１９とストラップ取付部１５が組まれた後に、リアシャーシ２０の腕部２０ａを組み立てるので、ストラップ取付部１５の突起形状１５ｆは、本体内部側に突出していないと、リアシャーシ２０を組み立てることができない。
【００３７】
以上、説明したように、ストラップ取付部１５の延出形状１５ｅをフロントシャーシ２０の腕部１９ａ、リアシャーシ２０の腕部２０ａで挟み、かつ延出形状１５ｅの挟むようにビス固定をし、突起形状１５ｆを穴形状１５ｇに挿通することで、ストラップ取付部１５を強固に固定する事が出来き、ストラップを取り付けた際のストラップの強度も確保することができる。
【００３８】
また、ストラップ取付部１５の延出形状１５ｅに直接ビス締結をする際には、延出形状１５ｅをより肉厚を増大させなくてはいけないが、本構成では、延出形状１５ｅに直接ビス締結をしないため、延出形状１５ｅの小型化が可能である。
【符号の説明】
【００３９】
１５    ストラップ取付部
１５ｅ  ストラップ取付部の延出形状
１５ｆ  ストラップ取付部の突起形状
１９    フロントシャーシ
１９ａ  フロントシャーシの腕部
１９ｇ  フロントシャーシの腕部の穴部
２０    リアシャーシ
２０ａ  リアシャーシの腕部
【図１】
2015022003.tif 000003
【図２】
2015022003.tif 000004
【図３】
2015022003.tif 000005
【図４】
2015022003.tif 000006
【図５】
2015022003.tif 000007
【図６】
2015022003.tif 000008
【図７】
2015022003.tif 000009